(57)【要約】      （修正有）【課題】合掌熱接着部と直交方向に引き裂いて筒状袋を開封する際に、筒状袋の左右いずれの側端縁から引き裂きを開始した場合においても、引き裂き途中で引っ掛かることなくスムーズに筒状袋を引き裂いて開封することのできる易開封性筒状袋を提供する。【解決手段】開封方向を向く切目線が形成された２軸延伸プラスチックフィルム、易引裂性脂肪族ポリエステル系延伸フィルム、開封方向に１軸延伸されたプラスチックフィルム、セロファンからなる開封方向に引裂き易い基材フィルム層と、アルミニウム箔層と、熱接着性樹脂層が積層された積層体からなり、合掌熱接着部と端縁熱接着部を有するピロータイプの筒状袋であって、合掌熱接着部が、合掌熱接着部外端縁が筒状袋側端縁に位置するように形成された構成の易開封性筒状袋である。【選択図】図１
2006224966.tif 000002
【特許請求の範囲】
【請求項１】
基材フィルム層とアルミニウム箔層と熱接着性樹脂層が積層された積層体からなり、合掌熱接着部と端縁熱接着部を有する筒状袋において、前記基材フィルム層が端縁熱接着部と平行方向に易引裂性を有するフィルムもしくは易引裂処理を施したフィルムからなり、合掌熱接着部が合掌熱接着部外端縁が筒状袋側端縁近傍に位置するように形成されている構成からなることを特徴とする易開封性筒状袋。
【請求項２】
前記基材フィルム層が、端縁熱接着部と平行方向を向く切目線が形成された２軸延伸プラスチックフィルムからなることを特徴とする請求項１記載の易開封性筒状袋。
【請求項３】
前記基材フィルム層が、易引裂性脂肪族ポリエステル系延伸フィルム、端縁熱接着部と平行方向に１軸延伸された１軸延伸プラスチックフィルム、筒状袋に成形する前のシートの状態で端縁部となる領域及び筒状袋に形成した状態で折目となる領域に流れ方向に連続した微細傷痕群を形成した２軸延伸フィルム、セロファンからなることを特徴とする請求項１記載の易開封性筒状袋。
【発明の詳細な説明】
【技術分野】
【０００１】
本発明は、外層が基材フィルムとされた積層体からなり、合掌熱接着部と端縁熱接着部を有する筒状袋を、合掌熱接着部と直交方向に引き裂いて開封する際に、筒状袋の左右いずれの側端部から引き裂きを開始しても、合掌熱接着部と直交方向に引き裂いてスムーズに開封することのできる易開封性筒状袋に関する。
【背景技術】
【０００２】
従来、開封性がよく且つ粉体状、粒体状等の内容物を包装した際に、内容物の流出性に優れた包装袋としては、ミシン目または切欠を設けた透明合成樹脂フィルム・紙などの包装基材の下面にアルミニウム箔およびヒートシール性樹脂をラミネートしてなる包装シート材を、ヒートシール性樹脂層が内側になりかつ前記ミシン目または切欠が長手方向と直角になるように円筒状にして長手方向をシールし、さらにミシン目または切欠が袋の上部または／および下部に位置して開封し易いように、袋の上端および下端をシールしてなることを特徴とするミシン目などを有する筒状袋（例えば、特許文献１参照）が知られている。
【特許文献１】実開昭５７−２０２９６６号公報
【０００３】
しかしながら、上記のミシン目などを有する筒状袋の場合、袋の側端部を掴んで筒状袋をミシン目に沿って長手方向シール部と直交方向に引き裂く際に、長手方向シール部が長手方向シール部と直交方向の袋の幅方向の略中央部に位置しているので、長手方向シール部の外端縁側と反対方向の筒状袋の側端縁から引き裂く場合は、ミシン目に沿って引き裂いてゆき長手方向シール部の内端の部分に達してもスムーズに引き裂いて開封することができるが、長手方向シール部の外端縁側の筒状袋の側端縁から引き裂く場合は、側端縁からミシン目に沿って引き裂いてゆき、長手方向シール部の内端の位置に達した時点で、長手方向シール部が引き裂き方向と逆方向に折れ曲がった状態となっているので、引き裂きが長手方向シール部の内端の位置で止まってしまいスムーズに引き裂いて開封することができないという欠点を有している。
【発明の開示】
【発明が解決しようとする課題】
【０００４】
本発明の目的は、合掌熱接着部と直交方向に引き裂いて筒状袋を開封する際に、筒状袋の左右いずれの側端縁から引き裂きを開始した場合においても、引き裂き途中において、合掌熱接着部の内端の部分にてうまく引き裂けずに引っ掛かってしまうことがなく、スムーズに引き裂いて開封することのできる易開封性筒状袋を提供することである。
【課題を解決するための手段】
【０００５】
基材フィルム層とアルミニウム箔層と熱接着性樹脂層が積層された積層体からなり、合掌熱接着部と端縁熱接着部を有する筒状袋において、前記基材フィルム層が端縁熱接着部と平行方向に易引裂性を有するフィルムもしくは易引裂処理を施したフィルムからなり、合掌熱接着部が合掌熱接着部外端縁が筒状袋側端縁近傍に位置するように形成されている構成からなる易開封性筒状袋である。
【０００６】
上記の易開封性筒状袋において、前記基材フィルム層が、端縁熱接着部と平行方向を向く切目線が形成された２軸延伸プラスチックフィルムからなる構成である。
【０００７】
上記の易開封性筒状袋において、前記基材フィルム層が、易引裂性脂肪族ポリエステル系延伸フィルム、端縁熱接着部と平行方向に１軸延伸された１軸延伸プラスチックフィルム、筒状袋に成形する前のシートの状態で端縁部となる領域及び筒状袋に形成した状態で折目となる領域に流れ方向に連続した微細傷痕群を形成した２軸延伸フィルム、セロファンからなる構成である。
【発明の効果】
【０００８】
本発明の易開封性筒状袋とすることにより、合掌熱接着部が、合掌熱接着部外端縁が筒状袋側端縁の近傍に位置するように形成されている構成であるので、合掌熱接着部外端縁と反対側の筒状袋側端縁から合掌熱接着部と直交方向に引き裂いて開封する場合は、筒状袋側端縁から引き裂いてゆき長手方向シール部の内端の部分に達してもスムーズに引き裂いて開封することができる。また、合掌熱接着部外端縁側の筒状袋側端縁から合掌熱接着部と直交方向に筒状袋を引き裂いて開封する場合は、合掌熱接着部が重なった状態となっている筒状袋側端部を掴んで、合掌熱接着部と筒状袋側端部を同時に引き裂いて開封を開始することになるので、筒状袋側端部にて開封を開始した後はスムーズに筒状袋を合掌熱接着部と直交方向に引き裂いて開封することができるものである。
【０００９】
請求項２、３に係る発明では、筒状袋側端部から引裂きを開始して合掌熱接着部と直交方向に筒状袋をスムーズに引裂いて開封することができる。
【発明を実施するための最良の形態】
【００１０】
以下、図面を引用して本発明の実施の形態を説明する。
図１は本発明の易開封性筒状袋の第１実施形態を示す平面図、図２は図１におけるＩ−Ｉ線拡大断面図、図３は第１実施形態の積層体の構成を示す図１のII−II線拡大断面図、図４は本発明の易開封性筒状袋の第２実施形態を示す平面図、図５は第２実施形態の積層体の構成を示す図３に対応する拡大断面図であって、２は合掌熱接着部、2aは合掌熱接着部外端縁、３, ４は端縁熱接着部、５, ６は筒状袋側端縁、７は切目線、10，10' は積層体、11，11' は基材フィルム層、12, 14はポリエチレン層、13はアルミニウム箔をそれぞれ表す。
【００１１】
本発明の易開封性筒状袋の第１実施形態は、図１〜図３に示すとおりである。第１実施形態の平面形状は、図１に示すように、合掌熱接着部２と端縁熱接着部３，４によって形成されたピロータイプの筒状袋であって、合掌熱接着部２が、合掌熱接着部外端縁2aが一方の筒状袋側端縁６の近傍に位置するように形成されており、ミシン目からなる開封用の切目線７は上下の端縁熱接着部３，４より所定距離だけ内側の位置に合掌熱接着部２と直交する方向に形成されている。第１実施形態の合掌熱接着部２と直交方向の断面形状は、図２に示すように、合掌熱接着部２は、合掌熱接着部外端縁2aが筒状袋側端縁６上にくるように、筒状袋の幅方向の中央部からずらした位置に形成されている。
【００１２】
第１実施形態の筒状袋を構成する積層体10は、図３に示すように、外面から順に、開封用の切目線が形成された２軸延伸ポリエチレンテレフタレートフィルム等の２軸延伸フィルムからなる基材フィルム層11とポリエチレン層12とアルミニウム箔層13とポリエチレン層14が積層された構成である。第１実施形態における２軸延伸フィルムに形成される開封用の切目線７はミシン目状とされているが、直線状に引き裂ければ切目線の形状は任意であり連続した線状の切目線とすることもできる。
【００１３】
本発明の易開封性筒状袋の第２実施形態は、図４、図５に示すとおりである。第２実施形態の平面形状は、図４に示すとおりであって、第２実施形態にて使用される積層体10’を構成する基材フィルム層11’は、易引裂性脂肪族ポリエステル系延伸フィルム、開封方向に１軸延伸された１軸延伸プラスチックフィルムからなっており、開封用の切目線が形成されていない易引裂性の基材フィルムからなる点で異なる以外は、基本的には第１実施形態と同じ構成である。第２実施形態では、基材フィルム層11’が、易引裂性脂肪族ポリエステル系延伸フィルム、開封方向に１軸延伸された１軸延伸プラスチックフィルム、セロファンからなっているので開封用の切目線を形成しなくとも易引裂性が得られるものである。
【００１４】
本発明の易開封性筒状袋では、合掌熱接着部２が、合掌熱接着部外端縁2aが一方の筒状袋側端縁６の近傍の位置にくるように形成されているので、易開封性筒状袋を合掌熱接着部外端縁2aと反対側の筒状袋側端縁５から合掌熱接着部２と直交方向の開封方向に引き裂くことにより、合掌熱接着部２の内端部の箇所が簡単に引き裂かれるので筒状袋を開封することができるとともに、合掌熱接着部外端縁2a側の筒状袋側端縁６から合掌熱接着部２と直交方向に筒状袋を引き裂いて開封する場合は、合掌熱接着部２が筒状袋側端縁６に重なった状態となっており、筒状袋側端縁６と筒状袋側端縁６に重なっている合掌熱接着部２を掴んで筒状袋側端縁６と合掌熱接着部２を引き裂いて開封を開始し、引き続いて合掌熱接着部２と直交方向に筒状袋を簡単に引き裂いて開封することができる。したがって、本発明の易開封性筒状袋では、いずれの筒状袋側端縁６，７から開封を開始しても、合掌熱接着部２と直交方向に引き裂いて開封することができる。
【００１５】
第１実施形態において使用する積層体の基材フィルム層11は、２軸延伸ポリエチレンテレフタレートフィルム等の２軸延伸フィルムにミシン目状の切目線７を形成した構成の基材フィルム層11である。２軸延伸ポリエチレンテレフタレートフィルム等の２軸延伸フィルムにミシン目状の切目線７を形成するには、２軸延伸フィルムにロータリーダイカッター等を使用して、印刷された絵柄に見当を合わせて所定位置に所定形状の切目線７が形成されるものである。切目線７を形成したプラスチックフィルムにポリエチレン層12とアルミニウム箔層13とポリエチレン層14を積層することにより積層体10を作製することができる。なお、切目線はミシン目状ではなく連続した線状としてもよい。
【００１６】
第２実施形態において使用する積層体の基材フィルム層11’は、易引裂性脂肪族ポリエステル系延伸フィルム、開封方向に１軸延伸された１軸延伸プラスチックフィルム、セロファンからなる構成である。易引裂性脂肪族ポリエステル系延伸フィルムとしては、特開平２００３─２６１６９６号公報に記載されているような、縦方向及び横方向の端裂抵抗が２２Ｎ以下である、主成分が乳酸系ポリエステル樹脂からなり、活性線を照射することにより製造される、易引裂性脂肪族ポリエステル系延伸フィルム等が使用できる。また、１軸延伸されたプラスチックフィルムとしては、ポリプロピレン、ポリエチレン、ポリブテン−１等のα−オレフィンの単独ないしは共重合体、ポリエチレンテレフタレート、ポリエチレンテレフタレート・イソフタレートなどのポリエステル、ナイロン−６、ナイロン６，６などのポリアミド等の樹脂からなる１軸延伸フィルムが使用できる。
【００１７】
積層体を構成する基材フィルム層としては、開封方向を向く切目線を形成した２軸延伸ポリエチレンテレフタレートフィルム等の２軸延伸フィルム、易引裂性脂肪族ポリエステル系延伸フィルム、開封方向に１軸延伸された１軸延伸プラスチックフィルム、筒状袋に成形する前のシートの状態で端縁部となる領域及び筒状袋に形成した状態で折目となる領域に流れ方向に連続した微細傷痕群を形成した２軸延伸フィルム、セロファン等が使用できる。ポリエチレン層の厚さとしては袋の引き裂き性と袋の強度の両面を考慮して１５〜３０μｍとするのが適当である。積層体の具体的な構成としては、切目線を形成した２軸延伸ポリエチレンテレフタレートフィルム１２μｍ／ポリエチレン１５μｍ／アルミニウム箔７μｍ／ポリエチレン３０μｍ、易引裂性脂肪族ポリエステル系延伸フィルム１２μｍ／ポリエチレン１５μｍ／アルミニウム箔７μｍ／ポリエチレン３０μｍ、１軸延伸ポリエステルフィルム１２μｍ／ポリエチレン１５μｍ／アルミニウム箔７μｍ／ポリエチレン３０μｍ、１軸延伸ポリプロピレンフィルム２０μｍ／ポリエチレン１５μｍ／アルミニウム箔７μｍ／ポリエチレン３０μｍ、セロファン＃３００／ポリエチレン１５μｍ／アルミニウム箔７μｍ／ポリエチレン３０μｍ等である。
【図面の簡単な説明】
【００１８】
【図１】本発明の易開封性筒状袋の第１実施形態を示す平面図。
【図２】図１におけるＩ−Ｉ線拡大断面図。
【図３】第１実施形態の積層体の構成を示す図１のII−II線拡大断面図。
【図４】本発明の易開封性筒状袋の第２実施形態を示す平面図。
【図５】第２実施形態の積層体の構成を示す図３に対応する拡大断面図。
【符号の説明】
【００１９】
２  合掌熱接着部
2a  合掌熱接着部外端縁
３, ４  端縁熱接着部
５, ６  筒状袋側端縁
７  切目線
10，10'   積層体
11，11'   基材フィルム層
12, 14  ポリエチレン層
13  アルミニウム箔
【図１】
2006224966.tif 000003
【図２】
2006224966.tif 000004
【図３】
2006224966.tif 000005
【図４】
2006224966.tif 000006
【図５】
2006224966.tif 000007